(57)【要約】【課題】飛行方向が安定しており、風の影響も受けにくく、落下位置も容易に判別できる意匠的な要素を備える竹とんぼを提供する。【解決手段】一対の羽根１１からなるプロペラ形状の水平翼１２（１２ａ、１２ｂ、１２ｃ）の複数枚がそれぞれの中間部で重ね合わされて接合され、平面視して隣り合う羽根１１の接合角度を略等分にすると共に、水平翼１２の複数枚が接合された部分に水平翼１２を回転させるための軸１４が水平翼１２に対して垂直に固定される竹とんぼ１０であって、水平翼１２の複数枚が重ね合わされる部分のそれぞれの水平翼１２の中間部に、中間部及び接合角度が固定できる切り欠き部１５（１５ａ、１５ｂ、１５ｃ）を有し、水平翼１２の複数枚が羽根１１の全てを正面視して略水平にして嵌着されている。【選択図】図１
0003104495.tif 000002
【実用新案登録請求の範囲】
【請求項１】
一対の羽根からなるプロペラ形状の水平翼の複数枚がそれぞれの中間部で重ね合わされて接合され、平面視して隣り合う前記羽根の接合角度を略等分にすると共に、前記水平翼の複数枚が接合された部分に前記水平翼を回転させるための軸が前記水平翼に対して垂直に固定される竹とんぼであって、
前記水平翼の複数枚が重ね合わされる部分のそれぞれの前記水平翼の前記中間部に、該中間部及び前記接合角度が固定できる切り欠き部を有し、前記水平翼の複数枚が前記羽根の全てを正面視して略水平にして嵌着されていることを特徴とする竹とんぼ。
【請求項２】
請求項１記載の竹とんぼにおいて、前記水平翼の枚数が２、３、又は４枚からなることを特徴とする竹とんぼ。
【請求項３】
請求項１又は２記載の竹とんぼにおいて、前記羽根の形状が断面視して中心部に膨らみを有する円盤状からなることを特徴とする竹とんぼ。
【請求項４】
請求項１〜３のいずれか１項記載の竹とんぼにおいて、前記水平翼の複数枚の嵌着後の前記中間部の全体厚さが、それぞれの前記水平翼に前記切り欠き部を入れる前の前記水平翼を重着した場合の前記中間部の全体厚さの５０〜７５％の厚さに相当する厚さになるように、それぞれの前記水平翼の前記中間部の厚さ方向に前記切り欠き部の深さが設けられていることを特徴とする竹とんぼ。
【考案の詳細な説明】
【技術分野】
【０００１】
本考案は、玩具の竹とんぼに関し、より詳細には、押し出す方向に安定した直進飛行をすることができる竹とんぼに関する。
【背景技術】
【０００２】
従来から竹とんぼは、手作り玩具として広く周知されているものであり、その遊び方は、プロペラ状の１枚の水平翼の中間部に設けられた２つの孔に差し込むことができる先端に２つの突起部を設けた軸を両手の掌で挟んで軸を回転させながら押し出すようにすることで軸の突起部から離脱した水平翼を垂直に上昇させて遠くに飛ばすものである。また、竹とんぼには、水平翼に軸を固定したものもあり、この場合には、水平翼に軸をひっつけたまま飛ばしている。軸を回転する方向は、通常、右利きの人の場合には右手を押し出すようにすることで力が入れやすいので、軸を反時計回り方向に回転させて揚力が得られるように、羽根の角度が回転方向側に上向いた形状となっている。一方左利きの人の場合には、右利きの人の場合の反対の角度をもった羽根を用いて軸を時計回り方向に回転させて揚力が得られるようにしている。
【０００３】
従来の竹とんぼには、１本の軸の先端に２つの係合突起を形成し、水平翼の中心部に軸対象に四角形の各頂点、又は正六角形の各頂点に係合突起が嵌まる孔を形成しそれぞれは分離独立している複数の水平翼を一度に飛ばすようにしたものが提案されている（例えば、特許文献１参照）。また、従来の竹とんぼには、軸の下端部に紐を付けて軸にこの紐を巻きつけた状態で筒体の中に収め、筒体の上部から紐を引っ張って軸を回転させながら竹とんぼを遠くに飛ばす工夫をしたものが提案されている（例えば、特許文献２参照）。更には、従来の竹とんぼには、複数の水平翼を１本の軸に分離して係合させたものが提案されている（例えば、特許文献３参照）。
【特許文献１】実開平７−４４０８０号公報
【特許文献２】実用新案第３０６１７２９号公報
【特許文献３】実開昭６１−４８７９７号公報
【考案の開示】
【考案が解決しようとする課題】
【０００４】
しかしながら、前述したような従来の竹とんぼは、未だ解決すべき次のような問題がある。
（１）１枚の水平翼を軸から離脱させて飛ばしたり、１枚の水平翼に軸を付けたまま飛ばしたりする竹とんぼは、飛行方向が不安定で、風の影響も受けやすく何処に落下するか安定性に欠けている。また、竹とんぼが落下して草むら等に入り込んだら探すのに苦労を要している。
（２）それぞれは分離独立している複数の水平翼を一度に飛ばすようにした竹とんぼは、軸からそれぞれの水平翼が飛び立った瞬間にそれぞれの水平翼の飛行方向がばらばらなり、１つ１つは風の影響も受けやすく何処に落下するか安定性に欠けている。また、竹とんぼが落下して草むら等に入り込んだら探すのに苦労を要している。
（３）軸に紐を巻きつけ、筒体の中の軸を紐を引っ張ることで軸を回転させながら１枚の水平翼を飛ばす竹とんぼは、安定した回転スピードが得られて飛行距離は安定するものの、飛行方向が不安定で、風の影響も受けやすく何処に落下するか安定性に欠けている。また、竹とんぼが落下して草むら等に入り込んだら探すのに苦労を要している。
（４）複数の水平翼を１本の軸に分離して係合させた竹とんぼは、飛行方向の安定性は向上するものの、抵抗が大きくなって推進力が低く、飛行距離が短くなっている。
本考案は、かかる事情に鑑みてなされたものであって、飛行方向が安定しており、風の影響も受けにくく、落下位置も容易に判別できる意匠的な要素を備える竹とんぼを提供することを目的とする。
【課題を解決するための手段】
【０００５】
前記目的に沿う本考案に係る竹とんぼは、一対の羽根からなるプロペラ形状の水平翼の複数枚がそれぞれの中間部で重ね合わされて接合され、平面視して隣り合う羽根の接合角度を略等分にすると共に、水平翼の複数枚が接合された部分に水平翼を回転させるための軸が水平翼に対して垂直に固定される竹とんぼであって、水平翼の複数枚が重ね合わされる部分のそれぞれの水平翼の中間部に、中間部及び接合角度が固定できる切り欠き部を有し、水平翼の複数枚が羽根の全てを正面視して略水平にして嵌着されている。
【０００６】
ここで、竹とんぼは、水平翼の枚数が２、３、又は４枚からなるのがよい。
また、竹とんぼは、羽根の形状が断面視して中心部に膨らみを有する円盤状からなるのがよい。
更に、竹とんぼは、水平翼の複数枚の嵌着後の中間部の全体厚さが、それぞれの水平翼に切り欠き部を入れる前の水平翼を重着した場合の中間部の全体厚さの５０〜７５％の厚さに相当する厚さになるように、それぞれの水平翼の中間部の厚さ方向に切り欠き部の深さが設けられているのがよい。
【考案の効果】
【０００７】
請求項１及びこれに従属する請求項２〜４のいずれか１項記載の竹とんぼは、一対の羽根からなる水平翼の複数枚がそれぞれの中間部で重ね合わされて接合され、平面視して隣り合う羽根の接合角度を略等分にすると共に、水平翼の複数枚が接合された部分に水平翼を回転させるための軸が垂直に固定される竹とんぼであって、複数枚が重ね合わされる部分のそれぞれの水平翼の中間部に、中間部及び接合角度が固定できる切り欠き部を有し、水平翼の複数枚が羽根の全てを正面視して略水平にして嵌着されているので、複数枚の水平翼の全体の羽根が略水平であることによって、飛行方向が安定で垂直や水平方向等のあらゆる角度の飛行が可能であり、また、抵抗が少なくなり推進力も大きくすることができる。また、複数枚の水平翼が軸固定でできているので、落下後に竹とんぼ自体が立体的に着地できるので容易に探し当てることができ、水平翼の紛失を防止できる。更に、複数枚の水平翼でできており、美しい形状であって意匠的価値も高い。
【０００８】
特に、請求項２記載の竹とんぼは、水平翼の枚数が２、３、又は４枚からなるので、安定した飛行方向と、強い推進力を得ることができる。
また、特に、請求項３記載の竹とんぼは、羽根の形状が断面視して中心部に膨らみを有する円盤状からなるので、羽根回転で吸込まれる空気に乱流を起こさすことなく流すことができ、空気抵抗を少なくして強い推進力を得ることができる。
更に、特に、請求項４記載の竹とんぼは、水平翼の複数枚の嵌着後の中間部の全体厚さが、それぞれの水平翼に切り欠き部を入れる前の水平翼を重着した場合の中間部の全体厚さの５０〜７５％の厚さに相当する厚さになるように、それぞれの水平翼の中間部の厚さ方向に切り欠き部の深さが設けられているので、複数枚の水平翼の接合部の強度を弱めることなく、羽根回転時の空気の乱流を少なくして前方から後方へ空気を流すことができ、安定化した飛行方向と、強い推進力を得ることができる。
【考案を実施するための最良の形態】
【０００９】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係る竹とんぼの説明図、図２（Ａ）、（Ｂ）はそれぞれ同竹とんぼの水平翼の説明図である。
【００１０】
図１（Ａ）、（Ｂ）、図２（Ａ）、（Ｂ）を参照しながら、本考案の一実施の形態に係る竹とんぼを説明する。ここで、図１（Ａ）は本考案の一実施の形態に係る竹とんぼを上面側から平面視した説明図、図１（Ｂ）は同竹とんぼを正面視した説明図であり、また、図２（Ａ）は同竹とんぼの水平翼が３枚からなる場合のそれぞれ上段、中段、下段用の水平翼の下面側の平面図、及びＡ−Ａ’線、Ｂ−Ｂ’線、Ｃ−Ｃ’線縦断面図、図２（Ｂ）は同竹とんぼの羽根のＤ−Ｄ’線拡大縦断面図である。
図１（Ａ）、（Ｂ）に示すように、本考案の一実施の形態に係る竹とんぼ１０は、一対の羽根１１からなるプロペラ形状の捻りを有する水平翼１２の複数枚、例えば、図１（Ａ）、（Ｂ）では、上段、中段、下段を構成する３枚の水平翼１２ａ、１２ｂ、１２ｃ（以下、水平翼を総称する場合には１２と記す）がそれぞれの中間部で重ね合わされて接着剤等で接合されている。これらの水平翼１２は、隣り合う羽根１１の接合角度を平面視して略等分の角度、例えば、水平翼１２が３枚の水平翼１２ａ、１２ｂ、１２ｃからなる場合には、隣り合う羽根１１の角度が略６０度で接合されている。そして、水平翼１２のそれぞれの中間部に設けられた軸孔１３には、全ての軸孔１３が１つの孔で挿通するようにして、水平翼１２を回転させるための軸１４が水平翼１２に対して垂直に軸孔１３内に差し込まれ、接着剤等で接合して固定されている。
【００１１】
図２（Ａ）に示すように、この竹とんぼ１０の水平翼１２の中間部には、これらの中間部、及び重ね合わせた時の接合角度が固定できる切り欠き部１５、例えば、３枚の水平翼１２ａ、１２ｂ、１２ｃが上段、中段、下段として重ね合わされる部分のそれぞれの水平翼１２ａ、１２ｂ、１２ｃの中間部に切り欠き部１５ａ、１５ｂ、１５ｃ（以下、切り欠き部を総称する場合には１５と記す）を有している。これらの切り欠き部１５は、接し合う水平翼１２に跨るように嵌合して位置が固定できるように、例えば、３枚の水平翼１２ａ、１２ｂ、１２ｃのそれぞれに固有の形状を有している。そして、この竹とんぼ１０は、複数枚の水平翼１２の全ての羽根１１が正面視して略水平になるように切り欠き部１５で嵌合し、接着剤等で接合して嵌着されている。なお、竹とんぼ１０を形成するためには、これに用いる竹を、通常、切り出して収穫した後、半年から１年くらい風通しの良い所に放置してよく乾燥させてから削り出しによってプロペラ形状の捻りを有する水平翼１２や、棒状の軸１４を作製している。また、この竹とんぼ１０を作製するための材料としては、竹に限定されるものではなく、プラスチックを用いることもでき、この場合には一体成形で作製することも可能である。更に、この竹とんぼ１０は、安定した飛行方向と、強い推進力を持つと同時に、風車形で落下後も立体的に着地しているので、着地位置がすぐ発見でき紛失の心配を起こさせるものでない。
【００１２】
竹とんぼ１０を構成するための水平翼１２の枚数は、２、３、又は４枚であるのがよい。水平翼１２が１枚である従来の竹とんぼでは、前述したように飛行方向が不安定で、風の影響も受けやすく何処に落下するか安定性に欠け、また、竹とんぼが落下して草むら等に入り込んだら探すのに苦労を要している。水平翼１２が５枚以上となる場合には、重量が重くなりすぎて逆に推進力を得られなくなる。なお、水平翼１２は、隣り合う羽根１１の接合角度を平面視して略等分の角度にしているが、因みに、水平翼１２が２枚からなる場合には、略９０度、水平翼１２が３枚からなる場合には、略６０度、水平翼１２が４枚からなる場合には、略４５度となっている。竹とんぼ１０は、水平翼１２の枚数が２、３、又は４枚からなることによって、安定した飛行方向と、強い推進力を持たせることができる。特に、水平翼１２が３枚からなる場合には、２人の間で竹とんぼのキャッチボールが可能となり、また、垂直に２０〜３０ｍ上空に上がった後、落下傘のようにして、安定して降りてこさせることができる。また、この竹とんぼ１０は、玩具としての遊戯性のみならず、美しい形状の意匠性も有している。
【００１３】
図２（Ｂ）に示すように、竹とんぼ１０の羽根１１の形状は、断面視して中心部に膨らみを有する円盤形状であるのがよい。竹とんぼ１０は、この形状によって、羽根１１の回転で吸込まれる空気の流れの乱流を少なくすることができるので、空気の抵抗を少なくでき、竹とんぼ１０に強い推進力を持たせることができる。
【００１４】
水平翼１２の複数枚が嵌着された後の嵌着部分である中間部の全体厚さは、それぞれの水平翼１２の中間部に切り欠き部１５を入れる前の水平翼１２の複数枚を重着した場合の中間部の全体厚さの５０〜７５％の薄い厚さに相当する厚さになるように、それぞれの水平翼１２の中間部の厚さ方向に深さを有する切り欠き部１５が設けられているのがよい。複数枚の水平翼１２を重ね合わせたままの重着の場合には、全ての羽根１１を水平にするのは難しい加工を要し、また、羽根１１の水平合せを無視して重着した場合には、風を切る音ばかりが強くなって推進力を得ることができない。これに反して、複数枚の水平翼１２に切り欠き部１５を設けて嵌着する場合には、羽根１１の水平化が容易であり、高い推進力を得ることができる。嵌着した時の全体厚さが重着する場合の全体厚さの５０％を下まわる場合には、それぞれの水平翼１２に設ける切り欠き部１５の深さが深くなりすぎ、水平翼１２が中間部で折れる危険性がある。嵌着した時の全体厚さが重着する場合の全体厚さの７５％を超える場合には、水平翼１２の中間部の厚さが厚くなり過ぎ竹とんぼ１０の推進力が低下する。
【産業上の利用可能性】
【００１５】
本考案の竹とんぼは、飛行方向が安定していて目標とする所への正確な着地性、推進力が強くて遠方への飛行性、着地後の発見の容易性、遊び方の多様性等を兼ね備えており、大人までが楽しむことができる玩具として利用できる。また、本考案の竹とんぼは、美しい形状や、飛行曲線を有し、意匠的な効果を有している。
【図面の簡単な説明】
【００１６】
【図１】（Ａ）、（Ｂ）はそれぞれ本考案の一実施の形態に係る竹とんぼの説明図である。
【図２】（Ａ）、（Ｂ）はそれぞれ同竹とんぼの水平翼の説明図である。
【符号の説明】
【００１７】
１０：竹とんぼ、１１：羽根、１２、１２ａ、１２ｂ、１２ｃ：水平翼、１３：軸孔、１４：軸、１５、１５ａ、１５ｂ、１５ｃ：切り欠き部
【図１】
0003104495.tif 000003
【図２】
0003104495.tif 000004